(57)【要約】【課題】専用二次電池の残量が低下してしまってもシャッタチャンスを逃すことなく撮影が行なえる撮影装置等に適用される、予備電池を備えたメモリカードシステムを提供する。【解決手段】メモリカード１０とシート状の二次電池１１とケース１２とを備えたメモリカードシステムを製作する。ケース１２内の収容部１２０にシート状の二次電池１１が折畳まれるようにして収納され、その折畳まれた状態の二次電池１１に挟まれるようにしてメモリカード１０が収納されてコンパクトなメモリカードシステム１が製作される。このメモリカードシステムが撮影装置に装填されるとシート状の二次電池１１が予備電池として働く。【選択図】  図２
2006146666.tif 000002
【特許請求の範囲】
【請求項１】
可搬型のメモリカード、
シート状の二次電池、および
前記メモリカードと前記二次電池との双方を収容する収容部と、該収容部に収容された状態の該メモリカードの端子と該二次電池の端子に接してこれらの端子の作用を外部に伝える中継端子を有するケースを備えたことを特徴とするメモリカードシステム。
【請求項２】
前記二次電池は、リチウムポリマ電池であることを特徴とする請求項１記載のメモリカードシステム。
【請求項３】
前記二次電池は、前記ケース内に折畳まれるようにして収納され、
前記メモリカードは、折畳まれた状態の二次電池に挟まれるようにして収納されたものであること特徴とする請求項１記載のメモリカードシステム。
【請求項４】
可搬型のメモリカード、シート状の二次電池、および前記メモリカードと前記二次電池との双方を収容する収容部と、該収容部に収容された状態の該メモリカードの端子と該二次電池の端子に接してこれらの端子の作用を外部に伝える中継端子とを有するケースを備えた、前記メモリカードと前記二次電池が前記ケースに収容されてなるメモリカードシステムと、
前記メモリカードシステムが装填される装填室と、
前記装填室に前記メモリカードシステムが装填された状態における前記二次電池の電池電圧を検出する検出部と、
前記検出部により電池電圧が低下していることを検出したときに前記二次電池を充電する充電部とを備えたことを特徴とする充電装置。
【請求項５】
この充電装置は、前記中継端子を介して前記メモリカードをアクセスして該メモリカードと外部との間で通信を行なうインターフェース回路を備えたことを特徴とする請求項４記載の充電装置。
【請求項６】
専用二次電池を電力供給源として動作し、撮影光学系で被写体を捉えて撮像素子上に結像させ該撮像素子で画像データを生成して生成した画像データをメモリカードに記録する撮影装置において、
可搬型のメモリカード、シート状の二次電池、および前記メモリカードと前記二次電池との双方を収容する収容部と、該収容部に収容された状態の該メモリカードの端子と該二次電池の端子に接してこれらの端子の作用を外部に伝える中継端子とを有するケースを備えた、前記メモリカードと前記二次電池が前記ケースに収容されてなるメモリカードシステムと、
前記メモリカードシステムが装填される装填室と、
前記専用二次電池の残量の低下時に電力供給源を前記メモリカードシステムを構成する二次電池に切り替える切替部とを備えたことを特徴とする撮影装置。
【発明の詳細な説明】
【技術分野】
【０００１】
本発明は、メモリカードと二次電池とを備えたメモリカードシステム、そのメモリカードシステム内の二次電池に充電する充電装置および、そのメモリカードシステムが装填されて用いられる撮影装置に関する。
【背景技術】
【０００２】
デジタルカメラを使用するユーザにあっては、交換自在に装填されている専用二次電池の残量が低下してしまうとその専用二次電池を交換しないと撮影が行なえなくなってしまうことがあるので、残量が低下した専用二次電池と交換が行なえるように予備の二次電池を携帯している人が多い。このように予備の二次電池を携帯していれば、旅先で撮影中に専用二次電池の残量が低下したとしても、その残量が低下した専用二次電池をその予備電池と交換することで撮影を続行することができる。また、旅館などに帰ったらデジタルカメラをクレードルやスタンドなどに載置して、そのクレードルやスタンド内の充電装置でデジタルカメラ内の専用二次電池を充電すれば、その専用二次電池を再度使用することができる（例えば特許文献１、２参照）。
【０００３】
図１は、特許文献１に示されるような充電機能を持つクレードルを示す図である。
【０００４】
図１に示すクレードル３にデジタルカメラ２が載置されると、デジタルカメラ２の接続部２ａとクレードル３の接続部２ａが嵌合し合って電気的に接続されクレードル内の充電装置によってデジタルカメラ内部の専用二次電池に充電が行なわれるようになっている。このように旅館や自宅などに帰宅した後なら、図１に示すクレードルなどを用いてゆっくりと充電が行える。
【０００５】
しかしながら、出先において専用二次電池の電池電圧が低下してしまうようなことが起こると、専用二次電池を予備電池に交換している間に折角のシャッタチャンスを逃してしまうこともある。また、ユーザの中には、予備電池を旅館などに忘れてきてしまったり、携帯中に紛失してしまう人もいる。そうすると、シャッタチャンスに撮影が行なえない事態が発生する。また、携帯する前に確認し忘れて誤って以前使用したことのある二次電池を予備として携帯したり、長きに亘って放置されていた二次電池を携帯したりする場合もある。そのような場合には残量が低下した専用二次電池を予備電池に交換したとしても撮影が行なえない事態が発生してしまう。このような事態に備えて携帯する前に予備の二次電池を充電することができるようにもしておきたい。
【特許文献１】特開２００２−３５９７６３号公報
【特許文献２】特開２００３−３０４４３１号公報
【発明の開示】
【発明が解決しようとする課題】
【０００６】
本発明は、上記事情に鑑み、専用二次電池の残量が低下してしまってもシャッタチャンスを逃すことなく撮影が行なえる撮影装置等に適用される、予備電池を備えたメモリカードシステム、そのメモリカードシステムの予備電池を充電する充電装置、およびそのメモリカードシステムが装填されて撮影が行なわれる撮影装置を提供することを目的とする。
【課題を解決するための手段】
【０００７】
上記目的を達成する本発明のメモリカードシステムは、
可搬型のメモリカード、
シート状の二次電池、および
上記メモリカードと上記二次電池との双方を収容する収容部と、その収容部に収容された状態のそのメモリカードの端子とその二次電池の端子に接してこれらの端子の作用を外部に伝える中継端子とを有するケースを備えたことを特徴とする。
【０００８】
このメモリカードシステムは、シート状の二次電池を備えたものであるので、電池を電力供給源とする装置にこのメモリカードシステムを装填することができれば、メモリカードシステムを構成するメモリカードに画像データを記録することも、同じくメモリカードに記録されている画像データに基づく画像を再生することも、また、専用二次電池の残量が低下してしまったときにはカードシステムを構成するシート状の二次電池を予備電池として用いることもできる。
【０００９】
つまり、このメモリカードシステムが撮影装置に適用されるものであるとすると、専用二次電池の残量が低下したときには専用二次電池が予備電池である、メモリカードシステム内の二次電池に切り替えられその二次電池から撮影装置に電力が供給されて撮影装置の動作が保証される。
【００１０】
その結果、撮影装置の専用二次電池の残量が低下したとしてもシャッタチャンスを逃すことなく撮影が行なえる分の電力を供給することができる予備電池として用いられる二次電池を備えたメモリカードシステムが実現される。
【００１１】
ここで、上記二次電池は、リチウムポリマ電池であることが好ましい。
【００１２】
上記シート状のリチウムポリマ電池は、可撓性を有し、強靭な塑性力を有するものであるので、折り曲げても内部に歪などが発生し難い。さらに、実装能力が高く、プリント配線により様々な電極構造を持たせることが可能である。
【００１３】
上記のことを踏まえて、上記メモリカードが、折畳まれた状態のシート形状の二次電池例えば上記リチウムポリマ電池に挟まれるようにして収容部に収容されるものであることが好ましい。
【００１４】
そうすると非常にコンパクトな形のメモリカードシステムが構成され小型化が図れる。
【００１５】
このようにシート状のリチウムポリマ電池を用いると、メモリカードシステムの小型化が実現され、このメモリカードシステムが装填される装置例えば撮影装置をさほど大型化させなくて済む。
【００１６】
ここで、このようなメモリカードシステムが実現されたときには、メモリカードシステムを構成する二次電池に充電を行なうことができるようにしておくと便利である。
【００１７】
そこで、上記目的を達成する本発明の充電装置は、
可搬型のメモリカードと、シート状の二次電池、および上記メモリカードと上記二次電池との双方を収容する収容部と、その収容部に収容された状態のそのメモリカードの端子とその二次電池の端子に接してこれらの端子の作用を外部に伝える中継端子とを有するケースを備えた、上記メモリカードと上記二次電池が上記ケースに収容されてなるメモリカードシステムと、
上記メモリカードシステムが装填される装填室と、
上記装填室に上記メモリカードシステムが装填された状態における上記二次電池の電池電圧を検出する検出部と、
上記検出部により電池電圧が低下していることを検出したときに上記二次電池を充電する充電部とを備えたことを特徴とする。
【００１８】
上記本発明の充電装置によれば、上記メモリカードとともに上記ケース内に収容されている二次電池の電池電圧が上記検出部により検出されその電池電圧が低下していることが検出されたときには上記充電部によって上記二次電池が充電される。
【００１９】
ここで、この充電装置は、上記中継端子を介して上記メモリカードをアクセスしてそのメモリカードと外部との間で通信を行なうインターフェース回路を備えた態様であることが好ましい。
【００２０】
例えばメモリカードと外部例えばパーソナルコンピュータとの間が上記インターフェース回路に準じたインターフェース例えばＵＳＢインターフェースに準拠したＵＳＢケーブルにより接続された状態にあるときに上記メモリカードシステムを構成する二次電池がこの充電装置に装填されると、パーソナルコンピュータ側から上記メモリカードシステム内のメモリカードをアクセスすることによってメモリカード内の画像データに基づく画像を表示画面上に再生表示することなどが行なえる。さらにはメモリカードの空き容量などのチェックも行なえる。
【００２１】
また、この予備電池を備えたメモリカードシステムを撮影装置に適用するには、
上記目的を達成する本発明の撮影装置が、
専用二次電池を電力供給源として動作し、撮影光学系で被写体を捉えて撮像素子上に結像させ該撮像素子で画像データを生成して生成した画像データをメモリカードに記録する撮影装置において、
可搬型のメモリカード、シート状の二次電池、および上記メモリカードと上記二次電池との双方を収容する収容部と、その収容部に収容された状態の該メモリカードの端子とその二次電池の端子に接してこれらの端子の作用を外部に伝える中継端子とを有するケースを備えた、上記メモリカードと上記二次電池が上記ケースに収容されてなるメモリカードシステムと、
上記メモリカードシステムが装填される装填室と、
上記専用二次電池の残量の低下時に電力供給源を、上記メモリカードシステムを構成する二次電池に切り替える切替部とを備えたことを特徴とする。
【００２２】
上記本発明の撮影装置によれば、上記メモリカードシステムが装填室に装填され、この撮影装置の専用二次電池の残量が低下したときに、上記切替部によって電力供給源が上記メモリカードシステム内の二次電池に切り替えられる。
【００２３】
このようにすると、撮影装置の専用二次電池の残量が低下したときには撮影が行なえなかったいままでとは異なり、専用二次電池の残量が低下したときに自動的に上記切替部によって電力供給源がメモリシステム内の二次電池に切り替えられて撮影が支障なく行なわれる撮影装置が実現される。
【発明の効果】
【００２４】
以上、説明したように、専用二次電池の残量が低下していてもシャッタチャンスを逃すことなく撮影が行なえる撮影装置に適用される、予備電池を備えたメモリカードシステム、そのメモリカードシステムの二次電池を充電する充電装置、およびそのメモリカードシステムが装填されて撮影が行なわれる撮影装置が実現される。
【発明を実施するための最良の形態】
【００２５】
以下、本発明の実施の形態について説明する。
【００２６】
図２は、本発明の一実施形態である、予備電池となる二次電池を備えたメモリカードシステム１を示す図である。この図２のメモリカードシステム１は、撮影装置等に適用されるものであって、撮影装置側の専用二次電池の残量が低下したときに図２に示すメモリカードシステム１内の二次電池１１が予備電池として用いられるものである。ここでは、メモリカードシステム１内の二次電池１１の容量を、同じくメモリカードシステム内のメモリカード１０に書き込みが行なえる程度の電力を持つものとしてある。
【００２７】
図２には、メモリカード１０とシート状の二次電池１１がケース１２の収容部１２０に収容されてメモリカードシステム１が組立てられていくときの過程が図２（ａ）、図２（ｂ）、図２（ｃ）の順に示されている。
【００２８】
図２に示すように、このメモリカードシステム１は、可搬型のメモリカード１０、シート状の二次電池１１、およびメモリカード１０と二次電池１１との双方を収容する収容部１２０と、その収容部１２０に収容された状態のそのメモリカード１０の端子１０ａ，１０ｂと二次電池１１の端子１１ａ，１１ｂに接してこれらの端子の作用を外部に伝える中継端子１２２を有するケース１２とを備えている。このケース１２は折畳み自在なものであって、シート状の二次電池１１とメモリカード１０が組み込まれたのちケース１２が折畳まれることによってメモリカードシステム１が製作される（図２（ｃ）参照）。
【００２９】
図２を参照して上記各部材がどのように組立てられていくかを説明していき、あわせて各部部材の機能なども説明していく。
【００３０】
図２（ａ）に示す第１ステップでは、まずシート状の二次電池１１がケース１２の収容部１２０に組み込まれる。ここではこのシート状の二次電池１１としてリチウムポリマ電池を用いた例を示してある。
【００３１】
このシート状の二次電池１１をケース１２内の収容部１２０に収容するときには、そのシート状の二次電池１１の端部から突出するようにして設けられている２つの端子１１ａ，１１ｂを受け入れる、収容部１２０の内壁が切り欠かれて成る４つの中継端子１２１のうちの２つの中継端子に、シート状の電池の２つの電極１１ａ，１１ｂが接するようにして組み込まれる。そのケース１２に設けられている中継端子１２１はケースの表面に至るところまで延設されており、メモリカード内部の作用を外部に伝えることが可能なものである。図２（ａ）に示すＢ部拡大図には、その中継端子１２１が設けられている部分の拡大図とともに、ケース外面側まで中継端子１２１が延設されていて４つの中継端子１２１がケース１２外面に露出していることがあわせて示されている。
【００３２】
また、収容部１２０の内壁が切り欠かれている４つの中継端子１２１とは反対の側の内壁部に４つのバネ部材１２２が設けられていて、それらのバネ部材１２２によってシート状の二次電池１１が付勢されシート状の二次電池１１の端子１１ａ，１１ｂと中継端子１２１が確実に接するようになっている。
【００３３】
次に図２（ｂ）に示す第２ステップへ進み、メモリカード１０がそのシート状の二次電池１１の上に重なるようにして組み込まれる。図２（ｂ）のＡ−Ａ´矢視図にはメモリカード１０が重なるようにシート状の二次電池１１上に組み込まれたことが示されている。
【００３４】
その後、図２（ｃ）に示す第３のステップへ進み、ケース１２が折畳まれると、図２（ｃ）のＢ−Ｂ´矢視図に示すようにメモリカード１１が、折畳まれた状態のそのシート形状の二次電池ここでは上記リチウムポリマ電池に挟まれるようにして収容部１２０に収容される。
【００３５】
この例で用いているシート状の二次電池１１であるリチウムポリマ電池は、優れた可撓性を持っており、折り曲げても歪などが生じ難い。
【００３６】
そこで、本実施形態では、図２（ｃ）に示すようにそのリチウムポリマ電池を折畳むようにしてケース１２の収容部１２９に収容することによりこのメモリシステムの小型化を実現している。
【００３７】
このようにシート状の二次電池１１を用いることでメモリカード１０と二次電池１１がコンパクトにケース１２内に収容されたメモリカードシステム１が実現される。このメモリカードシステム１が予備電池を必要とする装置などに装填されると、メモリカード本来の機能はもとより、その二次電池が予備電池として働いてバックアップ用電源としての機能も発揮される。
【００３８】
このようなメモリカードシステム１が装填される装置としては撮影装置やカメラ付き携帯電話や携帯型の画像再生装置などが考えられる。従来例にも記載したように、撮影装置が備える専用二次電池の残量が低下してシャッタチャンスに撮影が行なえない事態が発生しそうな場合においては、そのメモリカードシステムを構成する二次電池を予備電池として働かせてシャッタチャンスを逃してしまうようなことを防止することができるほか、他の装置に装填されたときにもメモリカード本来の機能と予備電池としての機能との双方を発揮することができる。
【００３９】
ただし、従来例にも記載したように、メモリカードシステム内の二次電池が以前使用された場合、もしくは長きに亘って放置しておいたため自然放電してしまった場合などにおいては、二次電池の残量が低下してしまっていて予備電池としての機能が発揮されないこともある。
【００４０】
そこで、残量が低下した状態にある二次電池の電力を復帰させることができるように、本実施形態のメモリカードシステム１では、メモリカードシステム１内の二次電池を充電するための充電装置を別途設けて、このような事態にも対処することができるようにしている。このメモリカードシステム１を構成するシート状の二次電池を充電する充電装置があると、使用する前に充電を行なうことによりシート状の二次電池をいつでも満充電状態にしておくことができる。
【００４１】
図３は、上記メモリカードシステム１を構成する二次電池を充電することができるように図１に示す従来例のクレードルにメモリカードシステム内の二次電池を充電する充電装置を付加した場合の構成を示す図である。
【００４２】
図３に示すクレードル３は、図１に示すものと同様の構成のものである。
【００４３】
図１に示すクレードル３は、デジタルカメラが載置台に載置されると、デジタルカメラ内の専用二次電池を充電することができるものであり、さらにインターフェースケーブル例えばＵＳＢケーブルによりパーソナルコンピュータとデジタルカメラが接続されると、パーソナルコンピュータからカメラ内のメモリカードをアクセスして画像データをパーソナルコンピュータ上に展開することが自在なものであった。
【００４４】
そこで本実施形態では、このクレードル３の元々の機能を踏まえつつ、メモリカードシステム１単体であっても充電が行なえるようにクレードルの構造を改良している。
【００４５】
図１に示すクレードル３には設けていなかったが、図３に示すクレードル３０にはメモリカードシステム１が挿入される凹部３１をクレードル３０の載置台に設けてある。図示はしていないが、この凹部３１の奥まった部分の表面に、メモリカードシステム１の端部の中継端子１２１と接する端子がそれぞれ設けられている。
【００４６】
図４は、凹部３１にメモリカードシステム１が挿入されたときの電気的な接続状況を説明する図である。
【００４７】
図４に示すように、メモリカードシステム１がクレードル３の凹部３１に挿入されると、クレードル３０内のメモリカード用のリーダライタ３０４とメモリカード１０とが端子接続され、さらに充電部３０６側の充電端子と二次電池１１の端子がそれぞれ端子接続される。
【００４８】
一方、クレードル３０内には、ＣＰＵ３００が配備されており、そのＣＰＵ３００とインターフェース回路にあたるＵＳＢコントローラ３０１とメモリカード用のカードＩ／Ｆ３０３とがバスにより接続されている。
【００４９】
メモリカードシステムの挿入によりカードリータライタ３０４とメモリカード１０とが端子接続された状態になると、ＣＰＵ３００はカードＩ／Ｆ３０３にバスを通して指示を出してメモリカード１０のリードライトをカードリーダライタ３０４に行なわせることができるようになる。
【００５０】
さらにこのＣＰＵ３００は、二次電池の電源端子１１ａ，１１ｂと充電部３０６および検出部３０５とが端子接続された状態になると、二次電池の電池電圧を検出部３０４により検出させその検出結果に応じて充電部３０５に指示を出して充電部にシート状の二次電池の充電を行なわせることもできる。
【００５１】
このようにメモリカードシステム１の二次電池１１に充電を行なうことができるようにしておくと、メモリカードシステム１内の二次電池１１をいつでも満充電の状態に保っておくことができるようになる。また、クレードル内にあるＵＳＢコントローラにより制御されるＵＳＢコネクタ３０７を介してメモリカード１０内の画像データをパーソナルコンピュータへ転送することもできる。
【００５２】
図５は、そのメモリカードシステム１が装填されるデジタルカメラの構成を示す図である。
【００５３】
図５（ａ）には、デジタルカメラ４の外観が示されており、図５（ｂ）にはデジタルカメラ４内部の構成が示されている。
【００５４】
図５（ａ）に示すように、デジタルカメラ４の側面側には、装填室４０を覆う蓋４０ａが設けられており、その蓋が開放され挿入口４１からメモリカードシステム１が装填されると、メモリカード１０と予備電池となる二次電池１１とがこのデジタルカメラ１に装填される。
【００５５】
図５（ｂ）に示すようにこのデジタルカメラ４の内部には、メモリカードシステム１を構成するメモリカード１０へ画像データを記録する、あるいはメモリカード１０から画像データを読み出すリーダライタが配備されている。さらに内部には専用二次電池ＢＴ１と予備二次電池１１からの電力供給経路を切替自在に切り替える切替スイッチ４２０が設けられており、その切替スイッチ４２０が通常は専用二次電池ＢＴ１側（図中実線で示されている）に切り替えられている。
【００５６】
これらの動作がＣＰＵ４００により制御されており、さらにこのＣＰＵ４００によってこのデジタルカメラ４の撮影動作も制御される。
【００５７】
まず、撮影動作を簡単に説明しておく。
【００５８】
撮影レンズ４０１でＣＣＤ４０２の受光面に結像させ、結像させた被写体を表す画像データがＣＣＤ４０２で生成される。ＣＰＵ４００はクロックジェネレータ（以下ＣＧという）４００ａを制御してそのＣＧ４００ａに、ＣＣＤ４０２に露光開始および終了のタイミングを知らせるタイミング信号を所定の時刻ごとに供給させ、後段のＣＤＳ回路４０３へとＣＣＤで生成した画像データを次々と出力させる。ＣＤＳ回路４０３によって画像データの出力時に画像データに重畳されたノイズが低減され、ノイズが低減された画像データがＡ／Ｄ部４０４へと供給される。そのノイズが低減された画像データを受けてアナログ信号の画像データがＡ／Ｄ部４０４によりデジタル信号の画像データに変換され、さらにそのデジタル信号に変換された画像データが信号処理部４０５へと供給される。この信号処理部４０５以降の画像データの処理はＣＰＵ４００の制御の基にバス４００ｂを介して行なわれる。
【００５９】
撮影モード時には、ＣＰＵ４００は信号処理部４０５でＹＣ信号などへ変換された画像データを、そのバス４００ｂを介してＬＣＤＩ／Ｆ４０６に供給してＬＣＤ４０７に被写体を表すスルー画像を表示させる。このスルー画像を表示させている間に撮影操作が行なわれたら、ＣＰＵ４００はその撮影操作に応じてＣＧ４００ａを制御して撮影操作時の画像データを後段の信号処理部４０５側へと出力させる。信号処理部４０５で信号処理された画像データを今度は圧縮伸張部４０８へ供給させ、圧縮伸張部４０８で圧縮処理を行なわせた後、さらにメモリカードＩ／Ｆ４０９へ圧縮処理された画像データおよび圧縮情報等を供給させる。このメモリカードＩ／Ｆ４０９によりメモリカード用のリーダライタ４０９１が制御され、メモリカード１０に画像データおよび圧縮情報等を有する画像ファイルが記録される。
【００６０】
このようにカメラ動作がＣＰＵ４００に制御され撮影処理が行なわれる。
【００６１】
また、このデジタルカメラ４ではそのＣＰＵ４００にアナログ電圧検出端子ＤＥＴを有するものを用いてそのアナログ電圧検出端子ＤＥＴで専用二次電池の電池電圧を検知するようにしている。この検知によりＣＰＵ４００が専用二次電池ＢＴ１の残量が低下していて予備電池に切り替えた方が良いと判定した場合には、切替スイッチ４２０をメモリカードシステム側の二次電池１１に切り替えるようにしている。
【００６２】
このようにしておくと、専用二次電池ＢＴ１の残量が低下したときに電力供給経路がメモリカードシステムを構成する二次電池１１側に自動的に切り替えられ、撮影を行なおうとしたときにこのデジタルカメラがシステムダウンすることがなくなる。
【００６３】
以上が、メモリカードシステム１が装填されるデジタルカメラ４の適用例である。
【００６４】
ここまではクレードル３０に充電装置を設けた例を説明してきたが、メモリカードシステムを構成する二次電池を充電する専用の充電装置を設けても良い。
【００６５】
図６は、メモリカードシステム１を構成するメモリカードシステム１内のシート状の二次電池１１を充電する専用充電装置の構成を示す図である。
【００６６】
図６に示す装填部５０にメモリカードシステム１が装填されると、自動的に充電が行なわれるようになっている。内部の回路は、図４のものと同様のものである。このように専用の充電装置を設けても良い。なお、図６の専用充電装置５にはＵＳＢコネクタ部５１が設けられており、専用充電装置であってもパーソナルコンピュータなどの外部情報機器との接続を行なうことができるようにしてある。
【００６７】
また、ＵＳＢインターフェースが、パーソナルコンピュータから供給されている直流電力を他の装置へ供給する信号線を持っていることを活用して図７に示すような専用アダプタを製作して充電を行なうようにしておいも良い。
【００６８】
図７は、専用の充電アダプタ６を示す図である。
【００６９】
このような専用の充電アダプタ６を製作すると、例えばＵＳＢコネクタ６１をパーソナルコンピュータに接続して、パーソナルコンピュータ側から直流電力をＵＳＢケーブルを経由してその専用アダプタ６へ供給することにより専用アダプタ７を介してメモリカード内のシート状の二次電池を充電することもできる。このときには、パーソナルコンピュータに充電および再生用アプリケーションソフト等を配備しておくと良く、そのアプリケーションが起動されると、アダプタに挿入されているメモリカードシステム内の二次電池の充電と表示画面上への再生表示との双方を行なうことができるようなシステムが構築される。
【図面の簡単な説明】
【００７０】
【図１】デジタルカメラとそのデジタルカメラが載置されるクレードルの外観を示す図である。
【図２】本発明の一実施形態である、予備電池となる二次電池を備えたメモリカードシステム１を示す図である。
【図３】上記メモリカードシステム１を構成する二次電池を充電することができるように図１に示す従来例のクレードルにメモリカードシステム内の二次電池を充電する充電装置を付加した場合の構成を示す図である。
【図４】凹部３１にメモリカードシステム１が挿入されたときの電気的な接続状況を説明する図である。
【図５】メモリカードシステム１が装填されるデジタルカメラの構成を示す図である。
【図６】メモリカードシステム１を構成するメモリカードシステム内のシート状の二次電池１１を充電する専用充電装置の構成を示す図である。
【図７】専用の充電アダプタを示す図である。
【符号の説明】
【００７１】
１    メモリカードシステム
１０    メモリカード
１０ａ  １０ｂ    端子
１１    シート状の二次電池
１１ａ    １１ｂ    端子
１２    ケース
１２０    収容部
１２１    中継端子
３０    クレードル（充電装置）
３１    凹部
３００    ＣＰＵ
３０１    ＵＳＢＣＴＬ
３０２    バッファメモリ
３０３    カードＩ／Ｆ
３０４    リーダライタ
４    デジタルカメラ
４００    ＣＰＵ
４００ａ    ＣＧ
４００ｂ    バス
４０１    撮影レンズ
４０２    ＣＣＤ
４０３    ＣＤＳ
４０４    Ａ／Ｄ
４０５    信号処理部
４０６    ＬＣＤＩ／Ｆ
４０７    ＬＣＤ
４０８    圧縮伸張部
４０９    カードＩ／Ｆ
４０９１    リーダライタ
４２０    切替部
５    専用充電装置
６    充電アダプタ
【図１】
2006146666.tif 000003
【図２】
2006146666.tif 000004
【図３】
2006146666.tif 000005
【図４】
2006146666.tif 000006
【図５】
2006146666.tif 000007
【図６】
2006146666.tif 000008
【図７】
2006146666.tif 000009